(57)【特許請求の範囲】
【請求項１】
制御ユニットと、
該制御ユニットに電気接続され、個人の状態を感知して生体計測信号を作成し、該生体計測信号を前記制御ユニットに送信する生体計測センサと、
前記制御ユニットに電気接続され、前記個人の局所的な環境条件を感知して環境信号を作成し、該環境信号を前記制御ユニットに送信する環境センサと、
前記制御ユニットに電気接続され、前記生体計測信号および前記環境信号を前記制御ユニットから受信し、前記生体計測信号および前記環境信号を離れた位置に送信する通信ユニットであり、他の着用式通信アセンブリとの間で前記生体計測信号および前記環境信号を送信して、注意を要する状況が生じた領域の前記他の着用式通信アセンブリに警告する送受信器を含む通信ユニットとを備え、
前記個人によって遠隔位置に運ばれる着用式通信アセンブリ。
【請求項２】
保安帽を備える請求項１に記載の着用式通信アセンブリ。
【請求項３】
前記制御ユニット、前記生体計測センサ、前記環境センサ、および前記通信ユニットがすべて前記保安帽に固定される請求項２に記載の着用式通信アセンブリ。
【請求項４】
電力を供給する電源を備える請求項１から請求項３のいずれかに記載の着用式通信アセンブリ。
【請求項５】
前記生体計測センサが心拍センサを備える請求項１から請求項４のいずれかに記載の着用式通信アセンブリ。
【請求項６】
前記環境センサが一酸化炭素センサを備える請求項１から請求項５のいずれかに記載の着用式通信アセンブリ。
【請求項７】
前記個人との間で情報を送受信するユーザインターフェースを備える請求項１から請求項６のいずれかに記載の着用式通信アセンブリ。
【請求項８】
前記ユーザインターフェースが、前記着用式通信アセンブリを着用している前記個人に向けて音を発する音声プロンプトを備える請求項７に記載の着用式通信アセンブリ。
【請求項９】
前記ユーザインターフェースが、前記着用式通信アセンブリを着用している前記個人の視野方向に光を放射する光学プロンプトを備える請求項７または請求項８に記載の着用式通信アセンブリ。
【請求項１０】
前記ユーザインターフェースが触覚プロンプトを備える請求項７から請求項９のいずれかに記載の着用式通信アセンブリ。
【請求項１１】
前記制御ユニットに電気接続され、前記着用式通信アセンブリの位置を識別する位置感知デバイスを備える請求項１から請求項１０のいずれかに記載の着用式通信アセンブリ。
【請求項１２】
収集されたデータを外部の前記データ収集デバイスに送信またはダウンロードが完了するまでの期間、前記データを格納するメモリデバイスを備える請求項１から請求項１１のいずれかに記載の着用式通信アセンブリ。
【請求項１３】
中央信号を送信し、遠隔通信を受信する中央処理装置と、
該中央処理装置に動作可能に接続され、前記遠隔通信を送信し、前記中央信号を受信する請求項１から請求項１２のいずれかに記載の複数の着用式通信アセンブリと、
前記中央処理装置と複数の前記着用式通信アセンブリそれぞれとの間に動作可能に接続され、前記中央処理装置と複数の前記着用式通信アセンブリそれぞれとの間の独立した通信を制御する通信ハブとを備え、
前記中央処理装置が、前記遠隔通信を受信し、複数の前記着用式通信アセンブリの一部分からの前記遠隔通信の一部を、複数の前記着用式通信アセンブリの前記一部分に通信を送ることを要する状況を示すものとして識別する事故識別モジュールを備える通信アセンブリ。
【請求項１４】
前記中央処理装置および複数の前記着用式通信アセンブリそれぞれに電気接続され、前記中央処理装置と前記着用式通信アセンブリとの間の通信を制御する通信インターフェースを備える請求項１３に記載の通信アセンブリ。
【請求項１５】
前記中央処理装置と別個の機能的アプリケーションとの間の通信を双方向で送信するアプリケーション・プログラミング・インターフェースを備える請求項１３または請求項１４に記載の通信アセンブリ。
【請求項１６】
前記中央処理装置が、該中央処理装置によって送受信された通信およびデータを格納するデータベースを備える請求項１３から請求項１５のいずれかに記載の通信アセンブリ。
【請求項１７】
個人が着用するように適合された着用式デバイスと、
該着用式デバイスに固着される制御ユニットと、
該制御ユニットに電気接続され、かつ前記着用式デバイスに固着され、前記個人の状態を感知して生体計測信号を作成し、該生体計測信号を前記制御ユニットに送信する生体計測センサと、
前記制御ユニットに電気接続され、かつ前記着用式デバイスに固着され、前記個人の局所的な環境条件を感知して環境信号を作成し、該環境信号を前記制御ユニットに送信する環境センサと、
前記制御ユニットに電気接続され、前記生体計測信号および前記環境信号を前記制御ユニットから受信し、前記生体計測信号および前記環境信号を前記着用式デバイスから離れた位置に送信する通信ユニットであり、他の着用式通信アセンブリとの間で前記生体計測信号および前記環境信号を送信して、注意を要する状況が生じた領域の前記他の着用式通信アセンブリに警告する送受信器を含む通信ユニットと、
該通信ユニットとの送受信に基づいて、前記個人と情報をやり取りするユーザインターフェースとを備える着用式通信アセンブリ。
【発明の詳細な説明】
【技術分野】
【０００１】
本発明は、状態応答型指示システムに関する。より詳細には、本発明は、個人によって着用または携行される、個人用可搬型デバイスを備える状態応答型指示システムに関する。
【背景技術】
【０００２】
データを監視し分析して保健および安全上の成果を改善する現在の情勢は、著しい改善の可能性を示している。例えば、産業安全性は従来、次の３つの事項に着目してきた。（ｉ）労働者を物理的に保護するための用具を提供すること（例えば、保安帽、靴、手袋、目および耳の保護器具）、（ｉｉ）起こり得る安全に関する事故を回避するように労働者を訓練すること（例えば、セミナー、検定、実地訓練）、ならびに（ｉｉｉ）安全行動を監査し、是正措置をとること。基礎となる産業に応じて、労働者とその環境との間における何らかの形態の相互作用／通信が、一般的に、安全設備（例えば、無線、一酸化炭素モニタ）に追加される。
【０００３】
概して、実体は、産業に特定的な要件に応じて異なるが、１人当たり年間数千ドルを個別の保健および安全設備ならびに訓練に費やすことがある。つい最近になって、労働安全性アプリケーションは、ますますＩＴシステムを使用して安全プロセスを改善するとともに、安全性準拠を追跡している。これらの解決策は、ハードウェアによる解決策（例えば、ＰＤＡ、資産追跡）またはソフトウェアによる解決策（例えば、検定およびコンプライアンス追跡、安全管理計器盤）のどちらかである。
【０００４】
しかしながら、現在の労働安全の解決策はすべて、労働者が用具および訓練を一度受け取ると、労働者自身の経験、および特定の状況においてどのように行動し反応するかに関する労働者個人の先見に基づく多くのケースに応じて、安全基準に準拠する責任は労働者に帰するという、１つの重大な課題に直面している。
【発明の概要】
【０００５】
着用式通信アセンブリは、個人によって遠隔位置に運ばれる。着用式通信アセンブリは、制御ユニットを備える。生体計測センサは、制御ユニットに電気接続される。生体計測センサは、個人の状態を感知して生体計測信号を作成し、作成された信号が制御ユニットに送信される。環境センサは、制御ユニットに電気接続される。環境センサは、個人の局所的な環境条件を感知して環境信号を作成し、作成された信号が制御ユニットに送信される。通信ユニットは、制御ユニットに電気接続される。通信ユニットは、生体計測信号および環境信号を制御ユニットから受信し、生体計測信号および環境信号を離れた位置に送信する。また、通信ユニットは、他の着用式通信アセンブリとの間で生体計測信号および環境信号を送信して、注意を要する状況が生じた領域の他の着用式通信アセンブリに警告する送受信器を含む。
【０００６】
本発明の利点は、以下の詳細な説明を参照し添付図面と関連して考慮した場合に、さらに十分に理解されることにより、容易に認識されるであろう。
【図面の簡単な説明】
【０００７】
【図１】本発明の一実施形態に係るアセンブリを示す概略環境図である。
【図２】本発明の一実施形態を組み込んだ着用式デバイスを示す部分断面側面図である。
【図３】図２の着用式デバイスの上面図である。
【図４】着用式デバイスに組み込まれるハードウェアのブロック図である。
【図５Ａ】危険な条件の存在に関する本発明の方法のフローチャートである。
【図５Ｂ】危険な条件の存在に関する本発明の方法のフローチャートである。
【図５Ｃ】危険な条件の存在に関する本発明の方法のフローチャートである。
【発明を実施するための形態】
【０００８】
図１を参照すると、通信アセンブリ１０が全体的に示されている。通信アセンブリ１０は、中央処理装置１２と、さらに詳細に後述する複数の可搬型通信アセンブリとの通信を容易にする。
中央処理装置１２は、すべてのデータおよび通信を収集し、それをアプリケーション・プラットフォーム１４に送る。アプリケーション・プラットフォーム１４は、データ集約、データ記憶、通知、警報、位置特定サービス、分析エンジン、報告書作成プログラム、ディスプレイ、およびユーザインターフェースなどの機能を含んでいてもよい。
【０００９】
また、中央処理装置１２は、データ記憶設備１６、アプリケーション・プログラミング・インターフェース（ＡＰＩ）１８、アプリケーション・バイナリ・インターフェース（ＡＢＩ）２０、および事故識別モジュール２１（さらに詳細に後述）を備えている。
【００１０】
中央処理装置１２の複数のコピーが１２’，１２’’で示されている。中央処理装置１２のこれら複数のコピー１２’，１２’’は、機能性を増大するために協働、またはシステムの冗長性を提供するために独立していてもよい。
【００１１】
ＡＰＩ１８は、追加のソフトウェア・アプリケーションの中央処理装置１２に対する開発および増補のため、中央処理装置１２を拡張する。一例として、図１に示されるように、安全性アプリケーション２２は、ＡＰＩ１８を通して中央処理装置１２に接続される。２つの追加の第三者アプリケーション２３，２５も、通信アセンブリ１０の特定の開発に必要と見なされる追加の機能を提供する、例示的なモジュールとして示されている。
【００１２】
通信アセンブリ１０は、図１に示されるように、通信ハブ２４を備えている。
通信ハブ２４は、中央処理装置１２に動作可能に接続され、通信バス２６を通して通信を受信する。
通信バス２６は、中央処理装置１２の通信ハブ２４との間での通信が、電気的ネットワークを通して、または通信ハブ２４と中央処理装置１２との間の通信に適していると見なされる任意の無線プロトコルを通して無線で行われることが考えられるので、中央処理装置１２に対して局所的であってもよいし、通信ハブ２４に対して局所的であってもよい。
【００１３】
また、通信ハブ２４は、複数の中央基地局２４ａ，２４ｂ，２４ｃを備えていてもよい。これらの中央基地局２４ａ，２４ｂ，２４ｃは、互いに独立して作用してもよく、通信アセンブリ１０が配備される特定の環境における通信アセンブリ１０の配備に応じて、互いに離れて配置されてもよい。
【００１４】
中央基地局２４ａ，２４ｂ，２４ｃは遠隔基地局２８ａ，２８ｂと通信する。
遠隔基地局は、通信アセンブリ１０が配備される特定の環境全体にさらに分配されてもよい。遠隔基地局２８ａ，２８ｂは、データを収集し、通知および／または警報を生成し、これらの通知および／または警報が通信ハブ２４に送られ、最終的には直接、もしくはピア・ツー・ピア型のメッシュ・ネットワークを介して中央処理装置１２に送られる。
【００１５】
遠隔基地局２８ａ，２８ｂは、さらに詳細に後述するように、中央基地局２４ａ，２４ｂ，２４ｃに直接接続された遠隔送受信器を有することによって、これらの遠隔基地局２８ａ，２８ｂを迂回することもできることを所与として、バック・アップ接続としての役割を果たす。
遠隔通信バス３０は、遠隔基地局２８ａ，２８ｂと中央基地局２４ａ，２４ｂ，２４ｃとの間を延在してもよい。
【００１６】
また、通信アセンブリ１０は、通信ハブ２４に相対して中央処理装置１２に動作可能に接続された複数の可搬型通信アセンブリ３２を備えている。
複数の可搬型通信アセンブリ３２はそれぞれ、通信ハブ２４を通して中央処理装置１２に遠隔通信を送信し、やはり通信ハブ２４を通して送信される、中央処理装置１２によって送信される中央通信を受信する。
【００１７】
両矢印３４によって示されるように、可搬型通信アセンブリ３２は、ピア・ツー・ピア型のメッシュ・ネットワークで互いと通信してもよい。両矢印３６は、可搬型通信アセンブリ３２が遠隔基地局２８ａ，２８ｂとも双方向で通信してもよいことを示している。最後に、両矢印３８は、可搬型通信アセンブリ３２が通信ハブ２４の中央基地局２４ａと直接通信できることを図式的に示している。
【００１８】
可搬型通信アセンブリ３２は、送達されるデータに基づいて、最も効率的なデータ転送および必要な場合はアクションを可能にする、最適なデータ転送を行うような形で、通信を容易にするように設計される。
また、可搬型通信アセンブリ３２は、条件を感知する複数のセンサを備えている。感知された条件は、可搬型通信アセンブリ３２から他の可搬型通信アセンブリ３２に、または中央処理装置１２、中央基地局２４、もしくは基地局２８に通信される。
【００１９】
事故識別モジュール２１は、遠隔通信を複数の可搬型通信アセンブリ３２から受信し、複数の可搬型通信アセンブリ３２の一部分から、複数の可搬型通信アセンブリの一部分に通信が送られることを要求する状況を示す遠隔通信の一部分を識別する。
本実施形態では、事故識別モジュール２１は、遠隔通信で受信された読取り値に基づいて、これらの遠隔通信を作り出している複数の可搬型通信アセンブリ３２の一部分を着用している個人に影響することがある状況が生じるとそれを識別する。一例として、複数の可搬型通信アセンブリ３２の一部分（１つ以上）が、高い一酸化炭素レベルを測定した場合、高い一酸化炭素レベルが測定されたことまたはこの状況の近傍にいることのどちらかを、中央処理装置１２が複数の可搬型通信アセンブリ３２の一部分に対して返信して、個人にそのエリアをすぐに離れるように知らせる警告を、事故識別モジュール２１が発する。
【００２０】
また、通信アセンブリ１０は、複数の充電ステーション４０を備えている。
充電ステーション４０は、通信アセンブリ１０が配備されている環境内の異なる位置全体にわたって分散させられてもよく、またさらには、複数の可搬型通信アセンブリ３２の１つを携行している個人によって着用されてもよい。
【００２１】
充電ステーション４０は、可搬型通信アセンブリ３２に内蔵された電池などのエネルギ貯蔵デバイスを充電するか、または可搬型通信アセンブリ３２から取外し可能なエネルギ貯蔵デバイスを充電することが可能であってもよい。設計パラメータは、エネルギ貯蔵デバイスが電池サイズを含んでもよい可搬型通信アセンブリ３２にどのように接続されるか、可搬型通信アセンブリ３２がその範囲内で動作するパラメータ、および／または可搬型通信アセンブリ３２が配備されている環境を指定する。
【００２２】
図２から図４を参照すると、複数の可搬型通信アセンブリ３２がより具体的に示されている。
好ましい実施形態では、可搬型通信アセンブリ３２は着用式デバイス４４である。より具体的には、着用式デバイスは保安帽４４として示されており、この例が説明の残りの部分に関して使用されるが、当業者であれば、着用式デバイスは、保護用衣服または単なる衣服の別の物品であってもよく、それらもまた本発明の範囲内にあることを認識するであろう。
【００２３】
保安帽４４は、可搬型通信アセンブリ３２が、中央処理装置１２、これと同位の可搬型通信アセンブリ３２、遠隔基地局２８、または中央基地局２４と通信することを可能にする、追加のハードウェアを備えている。
【００２４】
保安帽４４は、バイザー５０が取り付けられてもよい硬いひさし４８を有する硬い外側シェル４６を備えている。
バイザー５０は、保安帽４４を着用した個人が透かして見ることができるように透明である。
調節ベルト５２は、保安帽４４を快適に、ただしその保安帽が割り当てられた個人によって固定できるように着用することを可能にする、テンションデバイス５３を使用して調節可能である。
【００２５】
制御ユニット５４は、着用式デバイス４４に固着される。
生体計測センサ５６は、制御ユニット５４に電気接続される。
また、生体計測センサ５６は、生体計測センサが着用式デバイス４４を着用している個人の状態を感知するような形で、着用式デバイス４４に固着される。
生体計測センサ５６は、条件を感知し、制御ユニット５４に送信される生体計測信号を作成する。
また、可搬型通信アセンブリ３２は、制御ユニット５４に電気接続される環境センサ５８を備えている。
【００２６】
また、環境センサ５８は、環境センサ５８が個人に対して局所的な環境条件を感知するような形で、着用式デバイス４４に固着される。環境センサ５８は個人から離隔されていてもよい。環境センサ５８は、環境信号を作成し、この環境信号を制御ユニット５４に送信する。通信ユニット６０は、制御ユニット５４に電気接続され、生体計測信号および環境信号を、制御ユニット５４から着用式デバイス４４と離れた位置に送信する。
【００２７】
通信ユニット６０は、図１に示されるように、生体計測信号および環境信号を、可搬型通信アセンブリ３２から離れて、別の可搬型通信アセンブリ３２、基地局２８ａ，２８ｂ、および／または通信ハブ２４の中央基地局２４ａ，２４ｂ，２４ｃのいずれかに送信する。通信ユニット６０を内部に有する着用式デバイス４４によって、可搬型通信アセンブリ３２は、他の可搬型通信アセンブリ３２、または通信アセンブリ１０の中央処理装置１２と通信してもよい。
【００２８】
可搬型通信アセンブリ３２は、電力を必要とする可搬型通信アセンブリ３２の要素すべてに電力を供給する電源６２を備えている。
電源６２は取外し可能であってもよいので、可搬型通信アセンブリ３２を着用している個人が、単に電源６２を別のものとスワップアウトすることによって、自身の機能を実施し続けることができるように、電源が交換されてもよい。
【００２９】
また、可搬型通信アセンブリは、可搬型通信アセンブリ３２を着用している個人に情報を提供するユーザインターフェース６４を備えている。
ユーザインターフェース６４は、無線、または他の何らかの形態の音声通信であってもよい。それに加えて、ユーザインターフェースは、保安帽４４のひさし４８またはバイザー５０にしっかり固定された、触覚デバイスもしくは振動子６６および／または画像通信デバイス６８を備えていてもよい。
【００３０】
画像通信デバイス６８は、着用式デバイスを着用している個人が状態を知る必要がある特定の出来事または他のイベントがあった場合に、これを示す異なる色の光を提供する一連のＬＥＤであってもよい。一例では、緑色の光は、システムがすべて動作しており、読み取られるいずれの読取り値にも問題が起きていないことを示してもよい。黄色の光は、個人の注意を要するであろう何かが起こっている可能性があることを個人に警告してもよい。最後に、赤色の光は、潜在的に危険なことがある状況を防止または回避するために個人が即時に行動しなければならないことを示してもよい。例えば、赤色の光は、一酸化炭素センサが特定のエリアにおいて高レベルの一酸化炭素を識別しており、個人ができるだけ早くそのエリアを離れなければならないことを、個人に対して示してもよい。
【００３１】
これに加えて、画像通信デバイス６８は、ヘルメット４４のバイザー５０上に現れるような形でデータを表示することができる、ヘッド・アップ・ディスプレイを備えていてもよい。データは、上述した光コード、英数字のメッセージ、視覚的画像、またはこれらの任意の組み合わせであり得る。
【００３２】
また、可搬型通信アセンブリ３２は、可搬型通信アセンブリ３２を通信アセンブリ１０の別の部分に電気接続して、可搬型通信アセンブリ３２に局所的に格納される任意の情報を電気的にダウンロードできるようにすることが可能な連結ポート７０を備えている。
連結ポート７０は、生体計測センサ５６および環境センサ５８によって収集されたデータを格納する記憶デバイス７２に電気接続される（生体計測センサ５６の一例としては、心拍センサ５６ａ、体温、酸素レベルセンサ、血圧センサなどが挙げられる。環境センサ５８の一例としては、一酸化炭素センサ５８ａ、周囲温度センサ、放射センサ、圧力センサ、有害煙霧センサ、加速度計などが挙げられる。これらのリストは、例示のためのものであり、いかなる意味でも限定的と見なすべきではない。）。
【００３３】
また、着用式デバイスは、記憶デバイス７２に格納するか、または無線通信６４もしくは通信ユニット６０を介して通信アセンブリ１０の中央処理装置１２に返信することができる可搬型通信アセンブリ３２を着用している個人が見るような画像または映像を撮るカメラ７４を備えていてもよい。
【００３４】
図４を具体的に参照すると、可搬型通信アセンブリ３２の概略図が全体的に示されている。
ユーザインターフェース６４は、視覚ディスプレイ６８、音声出力８０、触覚アクチュエータ（振動アクチュエータ）６６、および非常灯８４などの要素を備えている。
上述したように、視覚ディスプレイ６８は保安帽４４のバイザー５０の上に示されてもよい。音声出力８０は、音声送信用または警報用のスピーカーであってもよい。非常灯８４はストロボ光であってもよい。ユーザインターフェース６４は、スイッチ、電位差計および警報スイッチ８６、ならびにビデオカメラ／マイクロフォンの組み合わせ８８（ビデオカメラ７４のみが図３に図示されている）を備えている。
【００３５】
これらのデバイス８６，８８は、通信アセンブリ１０の中央処理装置１２に情報を提供する。双方向音声インターフェースにより、着用式デバイス４４を着用している個人と、中央処理装置１２に配置されていてもよい個人との間での通信が可能になる。生体計測センサ５６および環境センサ５８に加えて、位置および接触センサ９２は、着用式デバイス４４がどこにあるかを示す入力を、着用式デバイス４４の制御ユニットに提供してもよい。他のかかるセンサは、加速度計およびジャイロスコープ、ＲＦＩＤセンサ、ならびにＧＰＳを使用することによって、センサがどの程度高速で進んでいるか、その位置および配向を識別してもよい。入力および出力コントローラ９４は通信のフローを制御する。
【００３６】
可搬型通信アセンブリ３２の記憶デバイス７２は、搭載型ファームウェア９５、搭載型フラッシュ記憶装置９６、および冗長フラッシュ記憶装置９８を備えていてもよい。
通信コントローラ１００は、着用式デバイス４４とその周囲の通信アセンブリ１０との間の通信を制御するのに使用されることになる、様々なシステムすべての間の通信を制御する。可搬型通信アセンブリ３２は、通信をできるだけ容易にするため、いくつかの異なるタイプの送受信器を含んでもよい。一例として、送受信器は、ＷｉＦｉ送受信器１０２、ＧＳＭ送受信器（ＧＳＭは登録商標）１０４、Ｂｌｕｅｔｏｏｔｈ送受信器（Ｂｌｕｅｔｏｏｔｈは登録商標）１０６、ＲＦＩＤ送受信器１０８、ＺｉｇＢｅｅ送受信器（ＺｉｇＢｅｅは登録商標）１０９、および／または衛星送受信器を含んでもよい。当業者であれば、本明細書に開示される本発明の概念の範囲を無効にすることなく、他のタイプの送受信器が使用されてもよいことを認識すべきである。システム・バス１１０は、これらのユニットすべての間の通信を提供する。
【００３７】
電源６２は、より具体的に、電源管理回路１１２、分離可能な充電式一次電池１１４、および分離可能な充電式冗長電池１１６を備えるように示されている。
【００３８】
図５Ａから図５Ｃを参照すると、丸付き文字は図５Ａおよび図５Ｂの間のフローチャートの線を接続しており、中央処理装置１２と複数の可搬型通信アセンブリ３２との間の通信方法が全体的に２００で示されている。方法は、２０２で、可搬型通信アセンブリ３２の電源を入れることから始まる。次に、２０４で、方法の始動における初期化が始まる。２０６で、システム内のセンサが初期化される。格納された搭載構成２０８は、２１０で、ロードされるとシステムに入力され、通知設定が設定される。２１２で、電力試験が実施される。次に、２１４で、電源オン試験が成功したか否かが判断される。
【００３９】
成功しなかった場合、２１６で通知が示され、２２０で可搬型通信アセンブリ３２が停止される。これは、複数の可搬型通信アセンブリ３２それぞれに対して行われる。次に、通信が、複数の可搬型通信アセンブリ３２それぞれから中央処理装置１２に送信される。これは、ステップ２２２で行われる。センサは、環境センサ５８、生体計測センサ５６、および文脈センサ９２である。デバイス状態も送信される。中央処理装置１２からの通知も送信される。
【００４０】
他の遠隔の可搬型通信アセンブリ３２からの通知が提示され、いずれかのユーザがＳＯＳボタンを手動で押下する場合、このこともやはり提示される。データは、２２４で、中央処理装置１２によって受信される。イベントキュー２２６は受信した通信それぞれを識別し分類し、２２８でセンサが読み取られ、２３０ですべてのデータが正規化され、特定の構成に基づいて優先順位を付けられる。データの優先順位は図５Ｃに示される表による。
【００４１】
通知が個人の可搬型通信アセンブリ３２に局所的に提示されるべきであると判断された場合、２３２で行われる。２３４で、通知は、音声、視覚、または触覚であってもよい。
メモリデバイス７２は、通知を格納し、そのデータベースに記録する。局所的通知２３２は、複数の可搬型通信アセンブリ３２の一部分が、条件閾値が満たされていることを示す通信を送ったことが識別されると行われる。
【００４２】
次に、２３６で、イベントが局所的に生成されたか否かが判断される。局所的に生成されなかった場合、２３８で、遠隔通信が基地局またはこれのピアからのものであるか否かが判断される。２３６でイベントが局所的に生成された場合、２４０でイベントが基地局に送られ、これも搭載型記憶装置７２に記録される。
【００４３】
生成されたイベントが遠隔で行われた場合、２４２で、閾値限界状態に関して、イベントを複数の可搬型通信アセンブリ３２のより大きい部分に再び同報通信する必要があるか否かが判断される。必要がある場合、２４４で、イベントの同報通信が、複数の可搬型通信アセンブリ３２のより大きい部分におけるピアに対する通知として行われる。イベントをそのピアに再び同報通信する必要がないと判断された場合（２４２）、２４６で、ＳＯＳボタンが押下されたか否かが判断される。
【００４４】
押下されなかった場合、可搬型通信アセンブリ３２は、２２４における方法のデータ獲得サブルーチンに戻る。２４６でＳＯＳボタンが押下された場合、２４８で、ＳＯＳ警報条件が送られる。２５０で、ＳＯＳ警報は、デバイスがリセットされるまで継続して送られる。この方法２００は、デバイスがオフにされるまで継続する。
【００４５】
本発明について例示的な方法で記載してきた。使用してきた用語は、単語の性質上、限定ではなく説明であることを意図するものであることが理解されるべきである。
【００４６】
上述の教示に照らして、本発明の多くの修正および変形が可能である。したがって、添付の特許請求の範囲内において、本発明は具体的に記載される以外に実施されてもよい。
【図１】
0006488394.tif 000002
【図２】
0006488394.tif 000003
【図３】
0006488394.tif 000004
【図４】
0006488394.tif 000005
【図５Ａ】
0006488394.tif 000006
【図５Ｂ】
0006488394.tif 000007
【図５Ｃ】
0006488394.tif 000008